(57)【要約】【課題】基準の範囲から外れた生体情報を他の生体情報よりも優先的に保全することが可能な画像形成装置及びプログラムを提供する。【解決手段】画像形成装置４は、当該画像形成装置４を利用する利用者について測定された生体情報をウェアラブル端末装置２から取得する取得手段４０２と、取得された生体情報を記憶する記憶部４１と、取得された生体情報のうち基準の範囲から外れた特定の生体情報を他の生体情報よりも優先的に保全する保全手段とを備える。【選択図】図２
2018175458.tif 000002
【特許請求の範囲】
【請求項１】
当該画像形成装置を利用する利用者について測定された生体情報を外部装置から取得する取得手段と、
取得された前記生体情報を記憶する記憶手段と、
取得された前記生体情報のうち基準の範囲から外れた特定の生体情報を他の生体情報よりも優先的に保全する保全手段と、
を備えた画像形成装置。
【請求項２】
前記保全手段は、前記特定の生体情報を外部に出力する、
請求項１に記載の画像形成装置。
【請求項３】
前記保全手段は、前記記憶手段に割り当てられた記憶領域の空き領域に基づいて、前記特定の生体情報を前記外部に出力する、
請求項２に記載の画像形成装置。
【請求項４】
前記保全手段は、前記特定の生体情報を印刷して前記外部に出力する、
請求項２又は３に記載の画像形成装置。
【請求項５】
前記保全手段は、前記特定の生体情報を電子メールにより前記外部に送信する、
請求項２又は３に記載の画像形成装置。
【請求項６】
前記保全手段は、前記特定の生体情報を前記外部の記憶装置に出力して記憶させる、
請求項２又は３に記載の画像形成装置。
【請求項７】
前記保全手段は、前記特定の生体情報を前記外部に出力することが許可されている場合に、前記特定の生体情報を前記外部に出力する、
請求項２から６のいずれか１項に記載の画像形成装置。
【請求項８】
前記保全手段は、前記特定の生体情報が前記基準の範囲よりも広い第２の基準の範囲から外れている場合に、前記外部に出力することが許可されていなくても前記特定の生体情報を前記外部に出力する、
請求項７に記載の画像形成装置。
【請求項９】
前記保全手段は、前記利用者に指定された画像を第１の記録用紙に印刷して出力する際に前記特定の生体情報を第２の記録用紙に印刷して前記外部に出力する、
請求項４に記載の画像形成装置。
【請求項１０】
前記第１の記録用紙に印刷する前記画像を指定する前記利用者は、前記第２の記録用紙に印刷する前記特定の生体情報の利用者と同一の者である、
請求項９に記載の画像形成装置。
【請求項１１】
前記第１の記録用紙に印刷する前記画像を指定する前記利用者は、前記第２の記録用紙に印刷する前記特定の生体情報の利用者と異なる者である、
請求項９に記載の画像形成装置。
【請求項１２】
前記保全手段は、前記特定の生体情報が前記他の生体情報よりも優先的に前記記憶手段に記憶されるよう前記記憶手段を制御する、
請求項１に記載の画像形成装置。
【請求項１３】
前記保全手段は、少なくとも最新の前記特定の生体情報が前記記憶手段から消失しないように前記記憶手段を制御する、
請求項１２に記載の画像形成装置。
【請求項１４】
取得された生体情報を記憶する記憶手段を有するコンピュータを、
当該画像形成装置を利用する利用者について測定された生体情報を測定装置から取得する取得手段と、
取得された前記生体情報のうち基準の範囲から外れた特定の生体情報を他の生体情報よりも優先的に保全する保全手段として、機能させるためのプログラム。
【発明の詳細な説明】
【技術分野】
【０００１】
本発明は、画像形成装置及びプログラムに関する。
【背景技術】
【０００２】
近年、オフィス等に置かれた画像形成装置の既存の機能を利用して利便性が高い健康管理の環境をユーザに提供する健康管理システムが提案されている（例えば、特許文献１参照。）。
【０００３】
特許文献１に記載された健康管理システムは、所定の組織の敷地内に配置された複数の画像形成装置と、認証に成功した時点で複数の画像形成装置のうち負荷が最も少ない画像形成装置を特定し、特定された画像形成装置を用いて組織の構成員に対して健康管理データを提供するものである。
【先行技術文献】
【特許文献】
【０００４】
【特許文献１】特開２０１３−２１８５６１号公報
【発明の概要】
【発明が解決しようとする課題】
【０００５】
本発明の課題の一つは、基準の範囲から外れた生体情報を他の生体情報よりも優先的に保全することが可能な画像形成装置及びプログラムを提供することにある。
【課題を解決するための手段】
【０００６】
［１］当該画像形成装置を利用する利用者について測定された生体情報を測定装置から取得する取得手段と、
取得された前記生体情報を記憶する記憶手段と、
取得された前記生体情報のうち基準の範囲から外れた特定の生体情報を他の生体情報よりも優先的に保全する保全手段と、を備えた画像形成装置。
［２］前記保全手段は、前記特定の生体情報を外部に出力する、前記［１］に記載の画像形成装置。
［３］前記保全手段は、前記記憶手段に割り当てられた記憶領域の空き領域に基づいて、前記特定の生体情報を前記外部に出力する、前記［２］に記載の画像形成装置。
［４］前記保全手段は、前記特定の生体情報を印刷して前記外部に出力する、前記［２］又は［３］に記載の画像形成装置。
［５］前記保全手段は、前記特定の生体情報を電子メールにより前記外部に送信する、前記［２］又は［３］に記載の画像形成装置。
［６］前記保全手段は、前記特定の生体情報を前記外部の記憶装置に出力して記憶させる、前記［２］又は［３］に記載の画像形成装置。
［７］前記保全手段は、前記特定の生体情報を前記外部に出力することが許可されている場合に、前記特定の生体情報を前記外部に出力する、前記［２］から［６］のいずれかに記載の画像形成装置。
［８］前記保全手段は、前記特定の生体情報が前記基準の範囲よりも広い第２の基準の範囲から外れている場合に、前記外部に出力することが許可されていなくても前記特定の生体情報を前記外部に出力する、前記［７］に記載の画像形成装置。
［９］前記保全手段は、前記利用者に指定された画像を第１の記録用紙に印刷して出力する際に前記特定の生体情報を第２の記録用紙に印刷して前記外部に出力する、前記［４］に記載の画像形成装置。
［１０］前記第１の記録用紙に印刷する前記画像を指定する前記利用者は、前記第２の記録用紙に印刷する前記特定の生体情報の利用者と同一の者である、前記［９］に記載の画像形成装置。
［１１］前記第１の記録用紙に印刷する前記画像を指定する前記利用者は、前記第２の記録用紙に印刷する前記特定の生体情報の利用者と異なる者である、前記［９］に記載の画像形成装置。
［１２］前記保全手段は、前記特定の生体情報が前記他の生体情報よりも優先的に前記記憶手段に記憶されるよう前記記憶手段を制御する、前記［１］に記載の画像形成装置。
［１３］前記保全手段は、少なくとも最新の前記特定の生体情報が前記記憶手段から消失しないように前記記憶手段を制御する、前記［１２］に記載の画像形成装置。
［１４］取得された生体情報を記憶する記憶手段を有するコンピュータを、
当該画像形成装置を利用する利用者について測定された生体情報を測定装置から取得する取得手段と、
取得された前記生体情報のうち基準の範囲から外れた特定の生体情報を他の生体情報よりも優先的に保全する保全手段として、機能させるためのプログラム。
【発明の効果】
【０００７】
請求項１、１４に係る発明によれば、基準の範囲から外れた生体情報を他の生体情報よりも優先的に保全することが可能になる。
請求項２−６に係る発明によれば、特定の生体情報が外部に出力されて保全される。
請求項７に係る発明によれば、特定の生体情報を外部に出力するに際し、利用者の許可を必要とすることができる。
請求項８に係る発明によれば、生体情報の秘密保持よりも利用者の健康管理を優先させることができる。
請求項９−１１に係る発明によれば、画像を印刷する際に特定の生体情報も印刷することで特定の生体情報が出力されたことに気が付きやすくなる。
請求項１２、１３に係る発明によれば、特定の生体情報が記憶手段に記憶されて保全される。
【図面の簡単な説明】
【０００８】
【図１】図１は、本発明の第１の実施の形態に係る画像処理システムの構成例を示す図である。
【図２】図２は、画像処理システムの制御系の一例を示すブロック図である。
【図３】図３（ａ）、（ｂ）は、画像形成装置の記憶部の記憶領域を模式的に示す図である。
【図４】図４は、生体情報許容値テーブルの一例を示す図である。
【図５】図５は、生体情報測定結果テーブルの一例を示す図である。
【図６】図６は、バナーシートの一例を示す図である。
【図７】図７は、画像形成装置の生体情報に関する動作の一例を示すフローチャートである。
【図８】図８は、画像形成装置の印刷出力に関する動作の一例を示すフローチャートである。
【図９】図９、本発明の第２の実施の形態に係る画像処理システムの構成例を示す図である。
【図１０】図１０は、第２の実施の形態に係る画像形成装置の動作の一例を示すフローチャートである。
【発明を実施するための形態】
【０００９】
以下、本発明の実施の形態について図面を参照して説明する。なお、各図中、実質的に同一の機能を有する構成要素については、同一の符号を付してその重複した説明を省略する。
【００１０】
［実施の形態の要約］
本実施の形態に係る画像形成装置は、当該画像形成装置を利用する利用者について測定された生体情報を測定装置から取得する取得手段と、取得された生体情報を記憶する記憶手段と、取得された生体情報のうち基準の範囲から外れた特定の生体情報を他の生体情報よりも優先的に保全する保全手段とを備える。
【００１１】
「利用者」とは、画像形成装置を利用する権限を有する者をいう。「特定の生体情報を保全する」とは、特定の生体情報を外部に出力すること、特定の生体情報が消失しないように記憶手段に記憶させておくこと等の処理を行うことにより、特定の生体情報を保護して安全であるようにすることをいう。「特定の生体情報を外部に出力する」場合には、例えば、特定の生体情報を記録用紙等の記録媒体に印刷出力すること、特定の生体情報を外部の記憶装置に記憶させること、特定の生体情報を電子メールにより当該利用者等の端末に送信すること等が含まれる。
【００１２】
［第１の実施の形態］
図１は、本発明の第１の実施の形態に係る画像処理システムの構成例を示す図である。この画像処理システム１は、ユーザに装着されてユーザの生体情報を測定するウェアラブル端末装置２と、ユーザが操作するユーザ端末装置３と、ユーザが指示した画像処理を実行する画像形成装置４とを備える。ユーザは、利用者の一例である。ウェアラブル端末装置２は、測定装置の一例である。測定装置は、ユーザに装着されていないものでもよい。ユーザ端末装置３は、外部の一例である。
【００１３】
ユーザ端末装置３及び画像形成装置４は、ネットワーク５によって互いに接続されている。ネットワーク５は、例えば、ＬＡＮ（Local Area Network）、インターネット等であり、有線でも無線でもよい。
【００１４】
ユーザ端末装置３は、例えば、パーソナルコンピュータ、多機能携帯電話機（スマートフォン）等の携帯型の情報処理装置を用いることができる。
【００１５】
画像形成装置４は、例えば、スキャン、プリント、コピー等の複数の機能を有する複合機である。スキャン、プリント、コピーは、画像処理の一例である。
【００１６】
（ウェアラブル端末装置の構成）
図２は、画像処理システム１の制御系の一例を示すブロック図である。図２に示すように、ウェアラブル端末装置２は、ウェアラブル端末装置２の各部を制御する制御部２０と、各種の情報を記憶する記憶部２１と、ユーザの生体情報を測定する生体情報測定部２２と、画像形成装置４と無線通信を行う無線通信部２３とを備える。
【００１７】
ウェアラブル端末装置２には、腕に装着するリストバンド型、腰に装着するベルト型、左右の腕、肩、胸、背中等に接触するシャツ型、頭部に装着するメガネ型あるいはゴーグル型、耳に装着するイヤホン型等がある。本実施の形態では、リストバンド型を用いるが、他のタイプのものを用いてもよく、複数のタイプのものを併用してよい。疲労度の推定に眼電位を用いる場合には、例えば、眼電位センサを備えたメガネ型のウェアラブル端末装置を用いてもよい。また、疲労度の推定に顔写真を用いる場合には、例えば、ユーザ端末装置３が有するカメラを用いてもよい。
【００１８】
制御部２０は、ＣＰＵ（Central Processing Unit）、インターフェース等から構成されている。制御部２０の機能については後述する。
【００１９】
記憶部２１は、ＲＯＭ（Read Only Memory）、ＲＡＭ（Random Access Memory）等から構成され、ＣＰＵのプログラム２１０、ユーザを識別するユーザＩＤ２１１等が記憶される。
【００２０】
生体情報測定部２２は、例えば、血圧を測定する血圧計と、心拍数を測定する心拍計とを備える。生体情報測定部２２により測定された血圧及び心拍数は、測定日時とともに、制御部２０の制御により、ユーザＩＤ２１１に対応付けて記憶部２１に記憶される。血圧、心拍数は、生体情報の一例である。なお、生体情報測定部２２は、血圧及び心拍数以外の他の生体情報を測定してもよい。
【００２１】
無線通信部２３は、例えば、Ｂｌｕｅｔｏｏｔｈ（登録商標）やＷｉ−Ｆｉ（登録商標）等の無線ＬＡＮを用いることができる。
【００２２】
制御部２０のＣＰＵは、記憶部２１に記憶されたプログラム２１０に従って動作してウェアラブル端末装置２の各部を制御する。制御部２０は、生体情報測定部２２によって測定された生体情報の測定結果を測定日時とともにユーザＩＤ２１１に対応付けて記憶部２１に記憶するとともに、予め定められた時刻に生体情報の測定結果、測定日時、ユーザＩＤ２１１を記憶部２１から読み出して測定結果情報２４として画像形成装置４に送信する。
【００２３】
（ユーザ端末装置の構成）
図２に示すように、ユーザ端末装置３は、ユーザ端末装置３の各部を制御する制御部３０と、各種の情報を記憶する記憶部３１と、キーボード、マウス等により実現される入力部３２と、液晶ディスプレイ等により実現される表示部３３と、例えばＮＩＣ（Network Interface Card）等によって実現され、ネットワーク５を介して画像形成装置４と通信するネットワーク通信部３４とを備える。なお、入力部３２及び表示部３３は、タッチパネルディスプレイにより構成してもよい。
【００２４】
制御部３０は、ＣＰＵ（Central Processing Unit）、インターフェース等から構成されている。制御部３０の機能については後述する。
【００２５】
記憶部３１は、ＲＯＭ（Read Only Memory）、ＲＡＭ（Random Access Memory）、ハードディスク等から構成され、プリンタドライバ等のプログラム３１０と、文書データ３１１等が記憶される。なお、文書データ３１１には、写真、図表、イラスト等のデータが含まれていてもよい。
【００２６】
制御部３０のＣＰＵは、記憶部３１に記憶されたプログラム３１０に従って動作することによりユーザ端末装置３の各部を制御する。制御部３０は、ユーザが入力部３２を操作して記憶部３１から印刷対象の文書データ３１１を選択し、印刷条件を設定すると、印刷ジョブを生成する。印刷ジョブは、ユーザＩＤ、印刷条件、及び文書データ３１１が画像形成装置４で解釈可能なページ記述言語（ＰＤＬ：Page Description Language）で記述されたものである。制御部３０は、印刷ジョブをネットワーク通信部３４及びネットワーク５を介して画像形成装置４に送信する。
【００２７】
（画像形成装置の構成）
画像形成装置４は、画像形成装置４の各部を制御する制御部４０と、各種の情報を記憶する記憶部４１と、ユーザからの操作を受け付けるとともに情報を表示する操作表示部４２と、原稿から画像データを読み取るスキャナ部４３と、文書データ３１１がＰＤＬで記述された印刷データを記録用紙等の記録媒体に印刷出力するプリンタ部４４と、例えばＮＩＣ（Network Interface Card）等によって実現され、ネットワーク５を介してユーザ端末装置３と通信するネットワーク通信部４５と、ウェアラブル端末装置２と無線通信を行う無線通信部４６とを備える。
【００２８】
制御部４０は、ＣＰＵ（Central Processing Unit）、インターフェース等から構成されている。ＣＰＵは、記憶部４１に記憶されたプログラム４１０に従って動作することにより、受付手段４０１、取得手段４０２、判定手段４０３、記憶制御手段４０４、実行手段４０５等として機能する。各手段４０１〜４０５の詳細については後述する。判定手段４０３、記憶制御手段４０４及び実行手段４０５は、保全手段の一例である。
【００２９】
記憶部４１は、ＲＯＭ（Read Only Memory）、ＲＡＭ（Random Access Memory）、ハードディスク等から構成され、プログラム４１０、生体情報許容値テーブル４１１（図４参照）、生体情報測定結果テーブル４１２（図５参照）等が記憶されている。
【００３０】
図３は、画像形成装置４の記憶部４１の記憶領域を模式的に示す図である。図３に示すように、記憶部４１の記憶領域４７には、生体情報許容値テーブル４１１が記憶される第１の記憶領域４７１と、生体情報測定結果テーブル４１２が記憶される第２の記憶領域４７２とが設けられている。図３において、第２の記憶領域４７２中の斜線を施した領域は、情報が記憶されている使用領域４７２ａであり、斜線を施していない領域が情報が記憶されていない空き領域４７２ｂである。
【００３１】
記憶部４１の第１の記憶領域４７１が必要とする記憶容量は、ユーザ及び測定項目の数によって定まる。一方、第２の記憶領域４７２が必要とする記憶容量は、ユーザ、測定項目及び測定回数の数によって定まる。このため、測定回数が一定の回数（例えば数回）を超えると、図３（ａ）から図３（ｂ）に示すように、第２の記憶領域４７２の空き領域４７２ｂが小さくなり、記憶容量不足が発生する場合がある。第２の記憶領域４７２の空き領域４７２ｂが１回分の生体情報の測定結果を記録できる記憶容量を有していない場合には、生体情報の測定結果が最も古い測定結果に上書きされる。
【００３２】
（生体情報許容値テーブルの構成）
図４は、生体情報許容値テーブル４１１の一例を示す図である。生体情報許容値テーブル４１１には、ユーザＩＤが登録される「ユーザＩＤ」欄と、ユーザＩＤごとに設けられ、最低血圧の許容値が登録される「血圧（低）」欄と、最高血圧の許容値が登録される「血圧（高）」欄と、心拍数の許容値が登録される「心拍数」欄とが設けられている。血圧（低）、血圧（高）、心拍数は、生体情報に関する測定項目の一例である。許容値は、基準の範囲の一例である。
【００３３】
（生体情報測定結果テーブルの構成）
図５は、生体情報測定結果テーブル４１２の一例を示す図である。生体情報測定結果テーブル４１２は、ユーザごとに最近の数日分（例えば１日１回）の測定結果が記憶される。生体情報測定結果テーブル４１２は、ユーザＩＤが登録される「ユーザＩＤ」欄と、最低血圧の測定値が記録される「血圧（低）」欄と、最高血圧の測定値が記録される「血圧（高）」欄と、心拍数の測定値が記録される「心拍数」欄と、いずれかの測定値が許容値を超えていることを示すフラグが記録される「フラグ」欄とが設けられている。「フラグ」欄は、血圧（低）、血圧（高）、心拍数の測定値のいずれかが許容値から外れた場合に記憶制御手段４０４によりフラグが記録される。なお、生体情報測定結果テーブル４１２には、ユーザごとに１回分の生体情報の測定結果を記憶してもよく、ユーザごとに特定の生体情報の測定結果のみを記憶してもよい。
【００３４】
「フラグ」欄において、「ＹＥＳ」はフラグが記録されたことを意味し、「ＮＯ」はフラグが記録されていないことを意味する。「フラグ」欄には、初期状態として「ＮＯ」が記録されている。図５にハッチングが施された測定値は、図４の生体情報許容値テーブル４１１に示す許容値から外れていることを示しており、「フラグ」欄にフラグ（ＹＥＳ）が記録されている。
【００３５】
図６は、バナーシートの一例を示す図である。バナーシート６には、ユーザＩＤ、測定日時、測定結果表が印刷される。測定結果表には、測定項目、測定値、許容値、判定結果が記録される。判定結果は、測定値が許容値から外れた場合は、「ＮＧ」が印刷され、測定値が許容値に入っている場合は、「ＯＫ」が印刷される。
【００３６】
受付手段４０１は、ユーザ端末装置３からネットワーク５を介して送信された印刷ジョブを受け付ける。
【００３７】
取得手段４０２は、ウェアラブル端末装置２から送信される測定結果情報２４を取得する。
【００３８】
判定手段４０３は、生体情報測定結果テーブル４１２に記録された最新の生体情報の測定値が、生体情報許容値テーブル４１１に登録されている許容値から外れているか否かを判定する。
【００３９】
記憶制御手段４０４は、取得した測定結果情報２４に基づいて生体情報の測定結果をユーザＩＤに対応付けて生体情報測定結果テーブル４１２に記録する。また、記憶制御手段４０４は、判定手段４０３の判定結果に基づいて生体情報の測定結果を生体情報測定結果テーブル４１２から消去する。
【００４０】
記憶制御手段４０４は、判定手段４０３により測定値が許容値から外れていると判定された場合は、生体情報測定結果テーブル４１２の「フラグ」欄にフラグ（ＹＥＳ）を記録する。測定値が許容値から外れた生体情報は、特定の生体情報の一例である。
【００４１】
また、記憶制御手段４０４は、当該ユーザの生体情報の測定値が許容値から外れていると判定手段４０３により判定された場合は、当該ユーザが指示した印刷ジョブが実行され、バナーシート６が出力された後に、当該ユーザの生体情報の測定値を生体情報測定結果テーブル４１２から消去する。記憶制御手段４０４は、当該ユーザの測定値が許容値から外れていないと判定手段４０３により判定された場合は、当該ユーザの生体情報の測定値を生体情報測定結果テーブル４１２から消去する。測定値が許容値から外れた特定の生体情報については、バナーシート６に出力されることで保全される。
【００４２】
実行手段４０５は、判定手段４０３の判定結果に基づいてプリンタ部４４を制御する。具体的には、実行手段４０５は、印刷ジョブの属性情報からユーザＩＤを取得し、当該ユーザＩＤに対応する生体情報測定結果テーブル４１２の最新の測定結果に対応する「フラグ」欄にフラグ（ＹＥＳ）が記録されているか否かに応じてプリンタ部４４を制御する。すなわち、フラグ（ＹＥＳ）が記録されている場合は、実行手段４０５は、印刷ジョブを実行した後、バナーシート６を印刷出力するようプリンタ部４４を制御する。フラグ（ＹＥＳ）が記録されていない場合は、実行手段４０５は、バナーシート６を印刷せずに印刷ジョブを実行するようプリンタ部４４を制御する。印刷ジョブにより印刷して出力する記録用紙は、第１の記録用紙の一例である。バナーシート６は、第２の記録用紙の一例である。
【００４３】
上述したように保全手段の一例としての記憶制御手段４０４及び実行手段４０５は、取得された生体情報のうち基準の範囲から外れた特定の生体情報を他の生体情報よりも優先的に保全する。例えば、記憶制御手段４０４は、記憶部４１に割り当てられた第２の記憶領域４７２の空き領域４７２ｂにより特定の生体情報の測定結果が上書きされようとしているとき、当該特定の生体情報の測定結果が上書きされる前に当該特定の生体情報を外部に出力してもよい。
【００４４】
（第１の実施の形態の動作）
次に、第１の実施の形態に係る画像処理システム１の動作の一例について図７及び図８のフローチャートに従って説明する。図７は、画像形成装置４の生体情報に関する動作の一例を示すフローチャートである。図８は、画像形成装置４の印刷出力に関する動作の一例を示すフローチャートである。
【００４５】
まず、図７のフローチャートに従って、生体情報の測定結果の取得と、測定結果に対する判定について説明する。
【００４６】
（１）生体情報の測定結果の取得
ウェアラブル端末装置２の生体情報測定部２２は、毎日予め定められた時刻（例えば、8：00）に体温及び心拍数を測定する。制御部２０は、生体情報測定部２２による生体情報の測定が終わると、体温及び心拍数の測定結果を測定日時とともにユーザＩＤに対応付けて記憶部２１に記憶する。
【００４７】
ウェアラブル端末装置２の制御部２０は、毎日予め定められた時刻（例えば、8:30）に生体情報の測定値、測定日時、ユーザＩＤを記憶部２１から読み出し、読み出した生体情報の測定値、測定日時、ユーザＩＤを測定結果情報２４として無線通信部２３により画像形成装置４に送信する。
【００４８】
画像形成装置４の取得手段４０２は、ウェアラブル端末装置２から送信された測定結果情報２４を取得する（Ｓ１）。記憶制御手段４０４は、生体情報の測定結果を生体情報測定結果テーブル４１２のユーザＩＤに対応する測定項目に記録する（Ｓ２）。なお、生体情報測定結果テーブル４１２の第２の記憶領域４７２の空き領域４７２ｂが１回分の生体情報の測定結果を記録できる記憶容量を有していない場合は、記憶制御手段４０４は、生体情報の測定結果を最も古い測定結果に上書きする。
【００４９】
（２）判定
判定手段４０３は、生体情報測定結果テーブル４１２に記録された最新の生体情報の測定値が、生体情報許容値テーブル４１１に登録されている許容値から外れているか否かを判定する（Ｓ３）。
【００５０】
上記ステップＳ３において、判定手段４０３により測定値が許容値から外れていると判定された場合は（Ｓ３：Ｙｅｓ）、記憶制御手段４０４は、生体情報測定結果テーブル４１２の「フラグ」欄にフラグ（ＹＥＳ）を記録する（Ｓ４）。
【００５１】
上記ステップＳ３において、判定手段４０３により測定値が許容値から外れていないと判定された場合は（Ｓ３：Ｎｏ）、記憶制御手段４０４は、生体情報測定結果テーブル４１２の「フラグ」欄にフラグ（ＹＥＳ）を記録しない。すなわち「フラグ」欄は「ＮＯ」のままとなる。記憶制御手段４０４は、当該ユーザの生体情報の測定結果を生体情報測定結果テーブル４１２から消去する（Ｓ５）。
【００５２】
（３）印刷ジョブ
次に、図８のフローチャートに従って印刷ジョブの実行について説明する。
【００５３】
ユーザは、ユーザ端末装置３の入力部３２を操作して記憶部３１から印刷対象の文書データ３１１を選択し、印刷条件を設定すると、制御部３０は印刷ジョブを生成する。制御部３０は、生成した印刷ジョブをネットワーク通信部３４及びネットワーク５を介して画像形成装置４に送信する。
【００５４】
画像形成装置４の受付手段４０１は、ユーザ端末装置３から送信された印刷ジョブを受け付ける。実行手段４０５は、印刷ジョブの属性情報からユーザＩＤを取得し、当該ユーザＩＤに対応する生体情報測定結果テーブル４１２の「フラグ」欄にフラグ（ＹＥＳ）が記録されているか否かを判断する（Ｓ１２）。
【００５５】
フラグ（ＹＥＳ）が記録されている場合は（Ｓ１２：Ｙｅｓ）、実行手段４０５は、プリンタ部４４を制御して印刷ジョブを実行した後（Ｓ１３）、バナーシート６を印刷出力するようプリンタ部４４を制御する（Ｓ１４）。すなわち、プリンタ部４４は、印刷ジョブで指定された文書データ３１１に対応する印刷データを記録用紙等の記録媒体に印刷した後、バナーシート６を印刷出力する。バナーシート６には、例えば、図６に示すように、許容値から外れた生体情報の測定値と、当該測定値が許容値から外れた旨が記録されている。特定の生体情報は、記憶部４１から消失される前にバナーシート６に出力されて保全される。
【００５６】
記憶制御手段４０４は、当該ユーザの生体情報の測定結果を生体情報測定結果テーブル４１２から消去する（Ｓ１５）。
【００５７】
上記ステップＳ１２において、フラグ（ＹＥＳ）が記録されていない場合は（Ｓ１２：Ｎｏ）、実行手段４０５は、バナーシート６を印刷せずに印刷ジョブを実行するようプリンタ部４４を制御する（Ｓ１６）。
【００５８】
（変形例１）
なお、上記実施の形態では、印刷ジョブを実行した後にバナーシート６を印刷出力したが、バナーシート６を印刷出力した後に印刷ジョブを実行してもよい。
【００５９】
（変形例２）
上記実施の形態では、測定値が許容値から外れた場合に、バナーシート６を出力したが、測定値が許容値を外れていない場合でも、ユーザや管理者等の選択によりバナーシート６を出力するようにしてもよい。許容値に入っていても許容値に近い測定値の場合、ユーザや管理者等がバナーシート６の出力を希望する場合がある。変形例２によれば、ユーザや管理者等の希望によりバナーシート６を出力することができる。
【００６０】
（変形例３）
測定値が許容値から外れた場合のバナーシート６に対しては、測定値が許容値から外れていない場合のバナーシート６よりも目立つように何らかの強調表示をするのが好ましい。例えば、測定値が許容値から外れた場合のバナーシート６の用紙の色を、測定値が許容値から外れていない場合のバナーシート６の用紙の色（例えば青色）よりも目立つ色又は明るい色（例えば黄色）にしてもよい。
【００６１】
（変形例４）
上記実施の形態では、印刷ジョブを送信したユーザの生体情報の測定値が許容値から外れた場合にバナーシート６を出力したが、当該ユーザの生体情報の測定値が許容値から外れた場合に、この判定を行った以降に発生した他のユーザの印刷ジョブを実行する際にバナーシート６を出力してもよい。変形例４によれば、当該ユーザの印刷ジョブが発生していなくてもバナーシート６が出力される。
【００６２】
［第２の実施の形態］
図９は、本発明の第２の実施の形態に係る画像処理システムの制御系の一例を示すブロック図である。第１の実施の形態では、特定の生体情報についてバナーシート６に印刷して出力したが、第２の実施の形態は、特定の生体情報を電子メールにより当該ユーザや管理者等の端末等に送信するようにしたものである。以下、第１の実施の形態と異なる点を中心に説明する。
【００６３】
制御部４０は、第１の実施の形態と同様に、受付手段４０１、取得手段４０２、判定手段４０３、記憶制御手段４０４及び実行手段４０５を備え、さらに特定の生体情報を電子メールにより当該ユーザや管理者等の端末等に送信する送信手段４０６を備える。送信手段４０６の詳細については後述する。
【００６４】
記憶部４１は、第１の実施の形態と同様に、プログラム４１０、生体情報許容値テーブル４１１及び生体情報測定結果テーブル４１２を記憶し、さらに送信先情報４１３を記憶する。送信先情報４１３は、電子メールの送信先のメールアドレスを含む。電子メールの送信先は、例えば、ユーザや管理者等のユーザ端末装置３でもよく、ユーザや管理者等が携帯する携帯電話でもよい。
【００６５】
記憶制御手段４０４は、判定手段４０３により測定値が許容値から外れていると判定された場合は、記憶部４１の第２の記憶領域４７２の空き領域４７２ｂが１回分の生体情報の測定結果を記憶できる一定以上の記憶容量を有しているか否かを判断し、第２の記憶領域４７２の空き領域４７２ｂが一定以上の記憶容量を有している場合には、生体情報の測定結果を生体情報測定結果テーブル４１２に記録するとともに、「フラグ」欄にフラグ（ＹＥＳ）を記録する。また、記憶制御手段４０４は、判定手段４０３により測定値が許容値から外れていないと判定された場合は、当該ユーザの生体情報の測定結果を生体情報測定結果テーブル４１２に記録せずに破棄する。
【００６６】
実行手段４０５は、本実施の形態では、印刷ジョブを実行するようプリンタ部４４を制御するが、バナーシートを印刷するようにプリンタ部４４を制御しない。
【００６７】
送信手段４０６は、特定の生体情報の測定結果を生体情報測定結果テーブル４１２に記録する際、空き領域４７２ｂが特定の生体情報の測定結果の全てを記録する容量を有していない場合、特定の生体情報の測定結果を、送信先情報４１３に予め登録されている送信先、例えばユーザのユーザ端末装置３に電子メールにより送信するものである。送信手段４０６は、保全手段の一例である。
【００６８】
（第２の実施の形態の動作）
図１０は、本発明の第２の実施の形態に係る画像形成装置１の動作の一例を示すフローチャートである。
【００６９】
ウェアラブル端末装置２の生体情報測定部２２は、毎日予め定められた時刻（例えば、8：00）に体温及び心拍数を測定する。制御部２０は、生体情報測定部２２による生体情報の測定が終わると、体温及び心拍数の測定結果を測定日時とともにユーザＩＤに対応付けて記憶部２１に記憶する。
【００７０】
ウェアラブル端末装置２の制御部２０は、毎日予め定められた時刻（例えば、8:30）に生体情報の測定結果、測定日時、ユーザＩＤを記憶部２１から読み出し、読み出した生体情報の測定結果、測定日時、ユーザＩＤを測定結果情報２４として無線通信部２３により画像形成装置４に送信する。
【００７１】
画像形成装置４の取得手段４０２は、ウェアラブル端末装置２から送信された測定結果情報２４を取得する（Ｓ２１）。判定手段４０３は、生体情報の測定値が許容値から外れているか否かを判定する（Ｓ２２）。
【００７２】
上記ステップＳ２２において、判定手段４０３により測定値が許容値から外れていると判定された場合は（Ｓ２２：Ｙｅｓ）、記憶制御手段４０４は、記憶部４１の第２の記憶領域４７２の空き領域４７２ｂが１回分の生体情報の測定結果を記憶できる一定以上の記憶容量を有しているか否かを判断する（Ｓ２３）。
【００７３】
上記ステップＳ２３において、第２の記憶領域４７２の空き領域４７２ｂが一定以上の記憶容量を有している場合には（Ｓ２３：Ｙｅｓ）、記憶制御手段４０４は、生体情報の測定結果を生体情報測定結果テーブル４１２に記録するとともに、「フラグ」欄にフラグ（ＹＥＳ）を記録する（Ｓ２４）。
【００７４】
上記ステップＳ２２において、判定手段４０３により測定値が許容値から外れていないと判定された場合は（Ｓ２２：Ｎｏ）、記憶制御手段４０４は、当該ユーザの生体情報の測定結果を生体情報測定結果テーブル４１２に記録せずに破棄する（Ｓ２５）。
【００７５】
上記ステップＳ２３において、第２の記憶領域４７２の空き領域４７２ｂが一定以上の記憶容量を有していない場合には（Ｓ２３：Ｎｏ）、送信手段４０６は、当該ユーザの生体情報の測定結果を、予め登録されている送信先、例えば、当該ユーザのユーザ端末装置３に電子メールにより送信して通知する（Ｓ２６）。特定の生体情報は、記憶部４１から消失される前に電子メールにより外部に出力されて保全される。なお、生体情報測定結果テーブル４１２には、特定の生体情報の測定結果のみが記録される。
【００７６】
（変形例５）
上記ステップＳ２６において、第２の記憶領域４７２の空き領域４７２ｂが一定以上の記憶容量を有していない場合に、特定の生体情報を電子メールにより送信したが、バナーシート６に印刷して出力してもよい。
【００７７】
（変形例６）
上記実施の形態では、特定の生体情報の測定結果を電子メールで通知することにより、特定の生体情報を保全したが、当該特定の生体情報を外部の記憶装置に出力して記憶させて保全してもよい。
【００７８】
（変形例７）
保全手段４０４は、当該特定の生体情報を外部に出力することが許可されている場合に当該特定の生体情報を外部に出力してもよい。また、保全手段４０４は、当該特定の生体情報が一般的な基準の範囲又はユーザのごとの許容値よりも広い第２の基準の範囲から外れている場合に、外部に出力することが許可されていなくても当該特定の生体情報を外部に出力してもよい。
【００７９】
［第３の実施の形態］
第２の実施の形態では、特定の生体情報を記憶部から消失する前に外部に送信したが、本実施の形態は、特定の生体情報が他の生体情報よりも優先的に保全されるように特定の生体情報を記憶部に記憶するようにしたものである。以下、第２の実施の形態と異なる点を中心に説明する。
【００８０】
記憶制御手段４０４は、少なくとも最新の特定の生体情報が記憶部４１から消失しないように記憶部４１を制御する。すなわち、記憶制御手段４０４は、取得された生体情報を順次記憶部４１の第２の記憶領域４７２に記憶するとともに、第２の記憶領域４７２の空き領域４７２ｂが１回分の生体情報の測定結果を記憶できる一定以上の記憶容量を有していない場合には、生体情報の測定結果を上書きする。具体的には、記憶制御手段４０４は、特定の生体情報の測定結果を記憶部４１に上書きする場合、特定の生体情報以外の最も古い生体情報の測定結果に上書きし、特定の生体情報以外の生体情報が記憶部４１に記憶されていなかった場合には、最も古い特定の生体情報の測定結果に上書きする。
【００８１】
送信手段４０６は、ユーザ端末装置３からユーザＩＤとともに生体情報の送信要求があった場合に、記憶部４１からユーザＩＤに対応する全ての生体情報を測定日時とともに要求があったユーザ端末装置３に送信する。
【００８２】
以上、本発明の実施の形態を説明したが、本発明の実施の形態は上記実施の形態に限定されるものではなく、本発明の要旨を変更しない範囲内で種々の変形、実施が可能である。例えば、上記各実施の形態では、ユーザごとに異なる許容値を用いたが、一般的な基準の範囲を用いてもよい。
【００８３】
制御部２０、３０、４０の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【００８４】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することができる。また、上記実施の形態で用いたプログラムをクラウドサーバ等の外部サーバに格納しておき、ネットワークを介して利用することができる。
【符号の説明】
【００８５】
１…画像処理システム、２…ウェアラブル端末装置、３…ユーザ端末装置、
５…ネットワーク、６…バナーシート、２０…制御部、２１…記憶部、
２２…生体情報測定部、２３…無線通信部、３０…制御部、３１…記憶部、
３２…入力部、３３…表示部、３４…ネットワーク通信部、４０…制御部、
４１…記憶部、４２…操作表示部、４３…スキャナ部、４４…プリンタ部、
４５…ネットワーク通信部、４６…無線通信部、４７…記憶領域、
２１０…プログラム、３１０…プログラム、３１１…文書データ、
４０１…受付手段、４０２…取得手段、４０３…判定手段、
４０４…記憶制御手段、４０５…実行手段、４０６…送信手段、
４１０…プログラム、４１１…生体情報許容値テーブル、
４１２…生体情報測定結果テーブル、４１３…送信先情報、
４７１…第１の記憶領域、４７２…第２の記憶領域、４７２ａ…使用領域、
４７２ｂ…空き領域
【図１】
2018175458.tif 000003
【図２】
2018175458.tif 000004
【図３】
2018175458.tif 000005
【図４】
2018175458.tif 000006
【図５】
2018175458.tif 000007
【図６】
2018175458.tif 000008
【図７】
2018175458.tif 000009
【図８】
2018175458.tif 000010
【図９】
2018175458.tif 000011
【図１０】
2018175458.tif 000012